(57)【要約】【課題】軸の方向に直接対面する部材間に装着でき、枢軸の回転トルクの調整が容易な小型のヒンジ軸装置を提供する。【解決手段】ヒンジ軸装置１は、補強板２と本体３とを具備する。補強板２は、軸嵌合孔２ａとねじ孔２ｂを具備し、取り付け板部５５にねじ４で固着される。本体３は、軸受板５、これに支持される枢軸６、トルク調整機構７を具備する。軸受板５は、軸受孔５ｃと、ねじ孔５ｄを具備し、ねじ８で取り付け枠部５２に固着される。枢軸６の嵌合部６ａは、補強板２の軸嵌合孔２ａに軸周り相対回転不能で抜き差し自在に嵌合する。大径部６ｂは、軸受板５の一側面に当接し、ねじ棒部６ｃは、軸受板５の他側面側へ貫通する。トルク調整機構７は、調整ナット１０と皿ばね１１とを具備し、軸受板５に対する枢軸６の回転トルクを調整する。【選択図】図１
2018151012.tif 000002
【特許請求の範囲】
【請求項１】
筐体の開口の対向縁部から奥行き方向後方へ延出する取り付け枠部に、扉の前面板の両縁から後方へ延出して外側面が前記取り付け枠部と平行に対面する取り付け板部を枢支するためのヒンジ軸装置であって、
前記扉の取り付け板部の内側面にねじ止めされる補強板と、前記筐体の取り付け枠部の内側面にねじ止めされる本体とを具備し、
前記補強板は、前記扉の取り付け板部に予め形成される軸挿通孔に対応する軸嵌合孔と、前記軸挿通孔に隣接して前記取り付け板部に予め形成される複数のねじ挿通孔に対応する複数のねじ孔とを具備し、前記ねじ挿通孔を介して前記取り付け板部の外側から前記ねじ孔に螺合されるねじにより前記取り付け板部に固着され、
前記本体は、前記筐体の取り付け枠部の内側面に固着される軸受板と、この軸受板に軸周り回転自在に支持され当該軸受板を垂直に貫通する枢軸と、前記軸受板に対する前記枢軸の回転トルクを調整するトルク調整機構とを具備し、
前記軸受板は、前記筐体の取り付け枠部に予め形成される軸貫通孔に対応する軸受孔と、前記筐体の取り付け枠部に予め形成される複数のねじ挿通孔に対応する複数のねじ孔とを具備し、前記ねじ挿通孔を介して前記取り付け枠部の外側から前記ねじ孔に螺合されるねじにより前記取り付け枠部に固着され、
前記枢軸は、前記取り付け板部の軸挿通孔を介して前記補強板の軸嵌合孔に軸周り相対回転不能で抜き差し自在の嵌合部と、前記軸受板の一側面に当接する大径部と、前記軸受板を他側面側へ貫通するねじ棒部とを具備し、
前記トルク調整機構は、前記枢軸のねじ棒部に螺合される調整ナットと、この調整ナットと前記軸受板との間に介設される複数の皿ばねとを具備することを特徴とするヒンジ軸装置。
【請求項２】
前記軸受板は、前記筐体の取り付け枠部の内側面に密着する一対の取り付け座部と、これらの取り付け座部間に位置して取り付け座部から隆起し前記取り付け枠部の内側面との間に軸受空間を形成する軸受部とを具備し、前記取り付け座部上に前記ねじ孔を有し、前記軸受部上に前記軸受孔を有し、
前記枢軸の大径部は、前記軸受空間内にあって、その一側面は前記取り付け枠部の内側面に当接し、他側面は樹脂ワッシャを介して前記軸受部の内側面に当接することを特徴とする請求項１に記載のヒンジ軸装置。
【発明の詳細な説明】
【技術分野】
【０００１】
本発明は、筐体の開口部に、これを開閉するための扉を枢支するヒンジ軸装置に関する。
【背景技術】
【０００２】
従来、ノート型パソコンのディスプレイ装置、あるいは各種機械の回転蓋などのように傾角調整を行う必要のある部材に組み込まれる軸ロック装置として、例えば特許文献１に記載されたものが知られている。
この装置においては、重ねられた状態のブラケットと摩擦板を枢支軸が貫通する。ブラケットが軸受板に固定され、枢支軸がディスプレイ装置や蓋に固定され、弾性加圧部材によってブラケットと摩擦板との間が加圧される。枢支軸と一体に回転する摩擦板と軸受板に固定されるブラケットとの間に摩擦トルクが生じるので、ブラケットと枢支軸との相対角度を任意の角度に保持することができる。摩擦トルクの調整は、ブラケットと摩擦板の数の増減による。
【先行技術文献】
【特許文献】
【０００３】
【特許文献１】特開２００１−３９２６号公報
【発明の概要】
【発明が解決しようとする課題】
【０００４】
上記従来の軸ロック装置は、軸の方向に直接対面する部材間に装着することができない。
本発明は、上記従来の軸ロック装置とは異なる構成により、筐体の取り付け枠部に、これと平行に対面する、扉の取り付け板部を枢支するためのヒンジ軸装置であって、筐体と扉との間に容易に装着でき、また枢軸の回転トルクの調整が容易なヒンジ軸装置を提供することを目的としている。
【課題を解決するための手段】
【０００５】
以下、添付図面の符号を参照して説明するが、本発明はこれに限定されるものではない。
上記課題を解決するための、本発明のヒンジ軸装置１は、筐体５１の開口の対向縁部から奥行き方向後方へ延出する取り付け枠部５２に、扉５３の前面板５４の両縁から後方へ延出して外側面が取り付け枠部５２と平行に対面する取り付け板部５５を枢支するためのヒンジ軸装置であり、扉５３の取り付け板部５５の内側面にねじ止めされる補強板２と、筐体５１の取り付け枠部５２の内側面にねじ止めされる本体３とを具備する。補強板２は、軸嵌合孔２ａと、ねじ孔２ｂを具備する。軸嵌合孔２ａは、取り付け板部５５に予め形成される軸挿通孔５５ａに対応、ねじ孔２ｂは、取り付け板部５５に予め形成されるねじ挿通孔５５ｂに対応する。補強板２は、ねじ挿通孔５５ｂを介して取り付け板部５５の外側からねじ孔２ｂに螺合されるねじ４により、取り付け板部５５に固着される。本体３は、軸受板５と、枢軸６と、トルク調整機構７とを具備する。軸受板５は、軸受孔５ｃと複数のねじ孔５ｄとを具備し、筐体の取り付け枠部５２の内側面に固着される。枢軸６は、軸受板５に軸周り回転自在に支持され、軸受板５を垂直に貫通する。トルク調整機構７は、軸受板５に対する枢軸６の回転トルクを調整する。軸受板５の軸受孔５ａは、筐体５１の取り付け枠部５２に予め形成される軸貫通孔５２ａに対応し、ねじ孔５ｄは、同じく筐体の取り付け枠部５２に予め形成されるねじ挿通孔５２ｂに対応する。軸受板５は、このねじ挿通孔５２ｂを介して取り付け枠部５２の外側からねじ孔５ｄに螺合されるねじ８により取り付け枠部５２に固着される。枢軸６は、嵌合部６ａと、大径部６ｂと、ねじ棒部６ｃとを具備する。嵌合部６ａは、取り付け板部５５の軸挿通孔５５ａを介して補強板２の軸嵌合孔２ａに軸周り相対回転不能で抜き差し自在に嵌合する。大径部６ｂは、軸受板５の一側面に当接する。ねじ棒部６ｃは、軸受孔５ｃを介して軸受板５を他側面側へ貫通する。トルク調整機構７は、ねじ棒部６ｃに螺合される調整ナット１０と、この調整ナット１０と軸受板５との間に介設される複数の皿ばね１１とを具備する。
【発明の効果】
【０００６】
本発明のヒンジ軸装置１においては、補強板２を、それの軸嵌合孔２ａとねじ孔２ｂをそれぞれ取り付け板部５５の軸挿通孔５５ａとねじ挿通孔５５ｂに合致させて、取り付け板部５５の内側面に沿わせ、外側面側からねじ止めすることができる。また、本体３は、枢軸６の嵌合部６ａを取り付け枠部５２の内側から補強板２の軸嵌合孔２ａに嵌合させると共に、軸受板５のねじ孔５ｄを取り付け枠部５２のねじ挿通孔５２ｂに合致させて、取り付け枠部５２の内側面に沿わせ、外側面側からねじ止めすることができる。困難な、取り付け板部５５の内側から、あるいは取り付け枠部５２の内側からの取り付け作業が不要である。通常のヒンジが持つ羽根がないから、小型であり、狭い取り付けスペースに容易に取り付けできる。
【図面の簡単な説明】
【０００７】
【図１】本発明に係るヒンジ軸装置の装着状態を一部を切欠して示すもので、筐体の内側から見た正面図である。
【図２】図１のヒンジ軸装置の装着状態の平面図である。
【図３】図１のヒンジ軸装置の装着状態の側面図である。
【図４】図１のヒンジ軸装置の装着状態の他側面図である。
【発明を実施するための形態】
【０００８】
図面を参照して本発明の実施の形態を説明する。
筐体５１は、開口の左右対向縁部から奥行き方向へ直角に延出する左右一対の取り付け枠部５２を有する。扉５３は、前面板５４の左右両縁から後方へ直角に延出して外側面が取り付け枠部５２と平行に対面する左右一対の取り付け板部５５を有する。
【０００９】
ヒンジ軸装置１は、扉５３の取り付け板部５５を筐体５１の取り付け枠部５２に枢支するために、取り付け板部５５の上端部に取り付けられる。したがって、扉５３は、上端部左右両縁において筐体５１の取り付け枠部５２に枢支され、下端側が前方へ回転することにより筐体５１の開口を開くようになっている。
【００１０】
ヒンジ軸装置１は、扉５３の取り付け板部５５の内側面にねじ止めされる補強板２と、筐体５１の取り付け枠部５２の内側面にねじ止めされる本体３とを具備する。
【００１１】
補強板２は、中央の軸嵌合孔２ａと両端部の２つのねじ孔２ｂとを有する概略細長矩形の金属板で、扉５３の取り付け板部５５の内側に固着される。軸嵌合孔２ａは、取り付け板部５５に予め形成される軸挿通孔５５ａに対応する。ねじ孔２ｂは、同じく取り付け板部５５に予め形成される２つのねじ挿通孔５５ｂに対応する。補強板２は、ねじ挿通孔５５ｂを介して取り付け板部５５の外側からねじ孔２ｂに螺合されるねじ４により取り付け板部５５に固着される。
【００１２】
本体３は、筐体５１の取り付け枠部５２の内側面に固着される軸受板５と、この軸受板５に軸周り回転自在に支持され、これを垂直に貫通する枢軸６と、軸受板５に対する枢軸６の回転トルクを調整するトルク調整機構７とを具備する。
【００１３】
軸受板５は、細長矩形の金属板を屈曲してなり、中央の軸受部５ａと、その上下両側一対の取り付け座部５ｂとを具備する。取り付け座部５ｂは、ねじ孔５ｄを有し、取り付け枠部５２の内側面に密着する。軸受部５ａは、両取り付け座部５ａから隆起し、取り付け枠部５２の内側面との間に軸受空間Ｓを形成する。軸受部５ａには、軸受孔５ｃが形成される。軸受孔５ｃは、取り付け枠部５２に予め形成される軸貫通孔５２ａに対応する。ねじ孔５ｄは、同じく取り付け枠部５２に予め形成される２つのねじ挿通孔５２ｂに対応する。軸受板５は、ねじ挿通孔５２ｂを介して、取り付け枠部５２の外側からねじ孔５ｂに螺合されるねじ８により、取り付け枠部５２に固着される。
【００１４】
枢軸６は、一端側の嵌合部６ａと、中間の大径部６ｂと、他端側のねじ棒部６ｃとを具備する。嵌合部６ａは、取り付け板部５５の軸挿通孔５５ａを介して補強板２の軸嵌合孔２ａに軸周り相対回転不能で抜き差し自在に嵌合される。大径部６ｂは、軸受空間Ｓ内にあって、その一側面は、取り付け枠部５２の内側面に当接し、他側面は樹脂ワッシャ９を介して軸受部５ａの内側面に当接する。ねじ棒部６ｃは、軸受板５の軸受孔５ｃを貫通して他側面側へ延出する。
【００１５】
トルク調整機構７は、枢軸６のねじ棒部６ｃに螺合される調整ナット１０と、この調整ナット１０と軸受板５との間に介設される複数の皿ばね１１とを具備する。皿ばね１１と調整ナット１０との間には、平ワッシャ１２と樹脂ワッシャ１３が介設される。調整ナット１０による皿ばね１１の締め付け度合いにより枢軸６の回転トルクを調整し、それにより扉５３の開放保持力を加減する。
【００１６】
補強板２を取り付ける場合には、それの軸嵌合孔２ａとねじ孔２ｂを、それぞれ取り付け板部５５の軸挿通孔５５ａとねじ挿通孔５５ｂに合致させて、取り付け板部５５の内側面に沿わせる。次いで、外側面側から、ねじ挿通孔５５ｂを介して、ねじ孔２ｂにねじ４を螺合し、締め付ける。本体３は、枢軸６の嵌合部６ａを取り付け枠部５２の内側から補強板２の軸嵌合孔２ａに嵌合させると共に、軸受板５のねじ孔５ｄを取り付け枠部５２のねじ挿通孔５２ｂに合致させ、取り付け枠部５２の内側面に沿わせる。次いで、外側面側からねじ挿通孔５２ｂを介してねじ孔５ｄにねじ８を螺合して締め付ける。通常のヒンジが持つ羽根がないから、小型であり、狭い取り付けスペースに容易に取り付けできる。
【符号の説明】
【００１７】
１      ヒンジ軸装置
２      補強板
３      本体
４      ねじ
５      軸受板
５ａ    軸受部
５ｂ    取り付け座部
５ｃ    軸受部
５ｄ    ねじ孔
５ａ    軸受部
６      枢軸
６ａ    嵌合部
６ｂ    大径部
６ｃ    ねじ棒部
７      トルク調整機構
８      ねじ
８      樹脂ワッシャ
１０    調整ナット
１１    皿ばね
１２    平ワッシャ
１３    樹脂ワッシャ
５１    筐体
５２    取り付け枠部
５２ａ  軸貫通孔
５２ｂ  ねじ挿通孔
５３    扉
５４    前面板
５５    取り付け板部
５５ａ  軸挿通孔
５５ｂ  ねじ挿通孔
Ｇ      軸受空間
【図１】
2018151012.tif 000003
【図２】
2018151012.tif 000004
【図３】
2018151012.tif 000005
【図４】
2018151012.tif 000006
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
筐体の開口の対向縁部から奥行き方向後方へ延出する取り付け枠部に、扉の前面板の両縁から後方へ延出して外側面が前記取り付け枠部と平行に対面する取り付け板部を枢支するためのヒンジ軸装置であって、
前記扉の取り付け板部の内側面にねじ止めされる補強板と、前記筐体の取り付け枠部の内側面にねじ止めされる本体とを具備し、
前記補強板は、前記扉の取り付け板部に予め形成される軸挿通孔に対応する軸嵌合孔と、前記軸挿通孔に隣接して前記取り付け板部に予め形成される複数のねじ挿通孔に対応する複数のねじ孔とを具備し、前記ねじ挿通孔を介して前記取り付け板部の外側から前記ねじ孔に螺合されるねじにより前記取り付け板部に固着され、
前記本体は、前記筐体の取り付け枠部の内側面に固着される軸受板と、この軸受板に軸周り回転自在に支持され当該軸受板を垂直に貫通する枢軸と、前記軸受板に対する前記枢軸の回転トルクを調整するトルク調整機構とを具備し、
前記軸受板は、前記筐体の取り付け枠部の内側面に密着する一対の取り付け座部と、これらの取り付け座部間に位置して取り付け座部から隆起し前記取り付け枠部の内側面との間に軸受空間を形成する軸受部とを具備し、前記取り付け座部上に前記筐体の取り付け枠部に予め形成されるねじ挿通孔に対応するねじ孔を有し、前記軸受部上に前記筐体の取り付け枠部に予め形成される軸貫通孔に対応する軸受孔を有し、前記ねじ挿通孔を介して前記取り付け枠部の外側から前記ねじ孔に螺合されるねじにより前記取り付け枠部に固着され、
前記枢軸は、前記取り付け板部の軸挿通孔を介して前記補強板の軸嵌合孔に軸周り相対回転不能で抜き差し自在の嵌合部と、前記軸受板の一側面に当接する大径部と、前記軸受板を他側面側へ貫通するねじ棒部とを具備し、
前記枢軸の大径部は、前記軸受空間内にあって、その一側面は前記取り付け枠部の内側面に当接し、他側面は樹脂ワッシャを介して前記軸受部の内側面に当接し、
前記トルク調整機構は、前記枢軸のねじ棒部に螺合される調整ナットと、この調整ナットと前記軸受板との間に介設される複数の皿ばねとを具備することを特徴とするヒンジ軸装置。
【手続補正２】
【補正対象書類名】明細書
【補正対象項目名】００１７
【補正方法】変更
【補正の内容】
【００１７】
１      ヒンジ軸装置
２      補強板
３      本体
４      ねじ
５      軸受板
５ａ    軸受部
５ｂ    取り付け座部
５ｃ    軸受部
５ｄ    ねじ孔
５ａ    軸受部
６      枢軸
６ａ    嵌合部
６ｂ    大径部
６ｃ    ねじ棒部
７      トルク調整機構
８      ねじ
９      樹脂ワッシャ
１０    調整ナット
１１    皿ばね
１２    平ワッシャ
１３    樹脂ワッシャ
５１    筐体
５２    取り付け枠部
５２ａ  軸貫通孔
５２ｂ  ねじ挿通孔
５３    扉
５４    前面板
５５    取り付け板部
５５ａ  軸挿通孔
５５ｂ  ねじ挿通孔
Ｇ      軸受空間
【手続補正３】
【補正対象書類名】図面
【補正対象項目名】図１
【補正方法】変更
【補正の内容】
【図１】
2018151012.tif 000007
【手続補正４】
【補正対象書類名】図面
【補正対象項目名】図２
【補正方法】変更
【補正の内容】
【図２】
2018151012.tif 000008